(57)【要約】【課題】    家電用リモコンに簡単に装着でき、暗闇においてリモコン操作を可能にするリモコン用照明装置を提供することを目的とする。【解決手段】    家電用リモコン本体の側面部に当接するフレーム部１１を形成し、フレーム部１１に家電用リモコン本体の表示部及び操作ボタン類を照らして暗闇においてリモコン操作を可能にする光源部１２ａ、１２ｂを配置し、フレーム部１１に家電用リモコン本体に取り付けるための係止部材１３、１５、１７、１９を設けた。【選択図】  図１
0003116204.tif 000002
【実用新案登録請求の範囲】
【請求項１】
家電用リモコン本体の側面部に当接するフレーム部を形成し、前記フレーム部に前記家電用リモコン本体の表示部及び操作ボタン類を照らして暗闇においてリモコン操作を可能にする照明具を備え、前記フレーム部に当該フレーム部を前記家電用リモコン本体に取り付けるための固定手段を設けたことを特徴とするリモコン用照明装置。
【請求項２】
前記照明具は、前記フレーム部の上側縁部に複数配置された光源からなり、前記フレーム部に前記光源を点灯させる電源と制御回路とスイッチを設け、前記スイッチが押下されたときに前記光源を一定時間点灯させることを特徴とする請求項１に記載のリモコン用照明装置。
【請求項３】
前記固定手段は、前記フレーム部の両端部に設けた帯状の一対の係止部材からからなり、前記一対の係止部材にフック部又はループ部を有する面ファスナーをそれぞれ設け、前記一対の係止部材を前記家電用リモコン本体の外側面に巻きつけて前記面ファスナー同士を着脱自在に接着させることを特徴とする請求項１又は請求項２に記載のリモコン用照明装置。
【請求項４】
前記固定手段は、前記フレーム部の前記家電用リモコン本体の側面部に当接する面の下側領域に設けた両面テープからなることを特徴とする請求項１又は請求項２に記載のリモコン用照明装置。
【考案の詳細な説明】
【技術分野】
【０００１】
本考案は、家電用リモコンに簡単に装着でき、暗闇においてリモコン操作を可能にするリモコン用照明装置に関するものである。
【背景技術】
【０００２】
ルームエアコン、テレビ、ビデオレコーダー、ＤＶＤレコーダー、ＣＤ／ＭＤプレーヤーなどの家電製品、ＡＶ機器を遠隔操作するリモートコントローラ（以下、「リモコン」と称する）が一般的に広く普及している。このリモコンは、送信部、液晶などからなる表示部、操作ボタン類を備えている。
【０００３】
リモコンを操作するのは明るい場所だけに限られず、就寝時などの暗所で操作する場合は、表示部・操作ボタン類が暗くて見えにくいため、逐一照明をつける必要があり不便さを感じる。
【０００４】
従来、暗闇においてリモコン操作を可能にするものとして、以下のような提案がなされている。
【０００５】
実開平３−７９５８５号公報には、キーそれぞれの照明用光源と周囲環境の明るさを検出するセンサと制御回路を備えた「リモコン送信機」が開示されている（特許文献１）。
【０００６】
特開２００１−４５５８１号公報には、一般的なリモコン機能に加え視力の低下した人や暗闇の中でも使用できる付加機能を備えた「家電用リモコン」が開示されている（特許文献２）。
【０００７】
実用新案登録第３１０８７８６号公報には、リモコン本体の操作ボタンに長時間発光する夜光塗料・樹脂・シールを使用した「夜光機能付家電製品リモコン」が開示されている（特許文献３）。
【０００８】
特開２００５−７９７８５号公報には、表示部の表示内容に対応するボタン操作部を開閉蓋で操作可能に開閉できるようにし操作性を向上できるようにした「リモコン装置」が開示されている（特許文献４）。
【０００９】
特開２０００−３０６４６６号公報には、良く利用する特定の機能等を選択して実行操作することができる「リモコン装置」が開示されている（特許文献５）。
【００１０】
特開平６−２６７６６３号公報には、暗闇の中でも操作用の送信機を容易に探せるようにした「照明器具用リモコン送信機」が開示されている（特許文献６）。
【００１１】
【特許文献１】実開平３−７９５８５号公報
【特許文献２】特開２００１−４５５８１号公報
【特許文献３】実用新案登録第３１０８７８６号公報
【特許文献４】特開２００５−７９７８５号公報
【特許文献５】特開２０００−３０６４６６号公報
【特許文献６】特開平６−２６７６６３号公報
【考案の開示】
【考案が解決しようとする課題】
【００１２】
上述した従来技術では、リモコン自体に改良を加える必要があることから、既存のリモコンには適用することができない問題を有している。また、リモコンの構造が複雑になり製造コストが高くなる問題を有している。
【００１３】
そこで、本考案は、これらの問題を解決するため、家電用リモコンに簡単に装着でき、暗闇においてリモコン操作を可能にするリモコン用照明装置を提供することを目的とする。
【課題を解決するための手段】
【００１４】
上記課題を解決するために、請求項１に記載の考案は、家電用リモコン本体の側面部に当接するフレーム部を形成し、前記フレーム部に前記家電用リモコン本体の表示部及び操作ボタン類を照らして暗闇においてリモコン操作を可能にする照明具を備え、前記フレーム部に当該フレーム部を前記家電用リモコン本体に取り付けるための固定手段を設けた構成を採用したのである。
【００１５】
また、請求項２に記載の考案について、請求項１に記載の前記照明具は、前記フレーム部の上側縁部に複数配置された光源からなり、前記フレーム部に前記光源を点灯させる電源と制御回路とスイッチを設け、前記スイッチが押下されたときに前記光源を一定時間点灯させることを特徴とする。
【００１６】
また、請求項３に記載の考案について、請求項１又は請求項２に記載の前記固定手段は、前記フレーム部の両端部に設けた帯状の一対の係止部材からからなり、前記一対の係止部材にフック部又はループ部を有する面ファスナーをそれぞれ設け、前記一対の係止部材を前記家電用リモコン本体の外側面に巻きつけて前記面ファスナー同士を着脱自在に接着させることを特徴とする。
【００１７】
また、請求項４に記載の考案について、請求項１又は請求項２に記載の前記固定手段は、前記フレーム部の前記家電用リモコン本体の側面部に当接する面の下側領域に設けた両面テープからなることを特徴とする。
【考案の効果】
【００１８】
以上のように、本考案によれば、家電用リモコン本体の側面部に当接するフレーム部に暗闇においてリモコン操作を可能にする照明具を備えるとともに、家電用リモコン本体に取り付けるための固定手段を設けたので、既存のリモコンに簡単に装着することができ、暗闇におけるリモコン操作について従来の不便さを解消することができる。また、リモコンの構造が複雑になり製造コストが高くなる問題をも解消することができる。
【考案を実施するための最良の形態】
【００１９】
以下、本考案の実施の一形態について、図面を参酌しながら説明する。
【００２０】
（第１実施例）
図１は本考案にかかるリモコン用照明装置の一例を示す斜視図、図２は上記リモコン用照明装置の正面図である。
【００２１】
図１に示すように、リモコン用照明装置１０は、暗闇においてリモコン操作を可能にする照明具を備えたフレーム部１１、家電用リモコン本体に取り付けるための係止部材１３、１５、１７、１９から構成される。
【００２２】
フレーム部１１は、家電用リモコン本体の側面部に当接する形状に形成され、フレーム部１１の両端部には、家電用リモコン本体の厚さに略一致するように段部１１ａ、１１ｂが形成されている。
【００２３】
フレーム部１１の上側縁部には、家電用リモコン本体の表示部及び操作ボタン類を照らして暗闇においてリモコン操作を可能にする光源部１２ａ、１２ｂが配置されている。この光源部１２ａ、１２ｂは、例えば、ＬＥＤなどの発光素子を透明カバーなどにより覆いフレーム部１１に組み込むことにより形成される。なお、光源部１２ａ、１２ｂの個数及び構造は図示したものに限定されず、リモコン本体の形状、表示部及び操作ボタン類の配置などに対応させて適宜変更することができる。
【００２４】
また、フレーム部１１には、図２に示すように、スイッチ２１が設けられ、スイッチ２１が押下されたときに光源部１２ａ、１２ｂを一定時間点灯させる電源・制御回路２２が内蔵されている。この電源・制御回路２２は、例えば、スイッチ２１の操作によって小型電池から発光素子に１０〜２０秒程度の間電力を供給する制御回路を採用することができる。
【００２５】
また、フレーム部１１の両端部には、家電用リモコン本体の外側面に着脱自在に装着する帯状の一対の係止部材１３、１５、１７、１９が形成されており、一対の係止部材１３、１５、１７、１９にフック部又はループ部を有する面ファスナー１４、１６、１８、２０がそれぞれ設けられている（図１参照）。
【００２６】
図３は上記リモコン用照明装置をルームエアコン用リモコンに装着した状態を示す斜視図である。
【００２７】
本考案に係る上記リモコン用照明装置１０を使用する際、ルームエアコン用リモコン１００の外側面に一対の係止部材１３、１５、１７、１９を巻きつけて、面ファスナー１４、１６と面ファスナー１８、２０を接着させて固定する（図１参照）。このように、既存のリモコンに簡単に着脱自在に装着することができる。
【００２８】
暗闇においてルームエアコン用１００リモコンの操作を行う場合、フレーム部１１のスイッチ２１を押下することにより、光源部１２ａ、１２ｂが一定時間点灯して液晶表示部１１０と操作ボタン１２０を照らすため、使用者は部屋の照明をつけることなくリモコン操作を確実に行うことができるため、暗闇におけるリモコン操作について従来の不便さを解消することができる。
【００２９】
（第２実施例）
図４は本考案にかかるリモコン用照明装置の他例を示す斜視図である。
【００３０】
図４に示すように、リモコン用照明装置３０は、暗闇においてリモコン操作を可能にする照明具を備えたフレーム部３１、家電用リモコン本体に取り付けるための両面テープ３３から構成される。
【００３１】
フレーム部３１は、家電用リモコン本体の側面部に当接する形状に形成されている。フレーム部３１の家電用リモコン本体の側面部に当接する面の下側領域には、両面テープ３３が貼り着けられている。
【００３２】
フレーム部３１の上側縁部には、家電用リモコン本体の表示部及び操作ボタン類を照らして暗闇においてリモコン操作を可能にする光源部３２ａ、３２ｂ、３２ｃが配置されている。この光源部３２ａ、３２ｂ、３２ｃは、例えば、ＬＥＤなどの発光素子を透明カバーなどにより覆いフレーム部３１に組み込むことにより形成される。なお、光源部３２ａ、３２ｂ、３２ｃの個数及び構造は図示したものに限定されず、リモコン本体の形状、表示部及び操作ボタン類の配置などに対応させて適宜変更することができる。
【００３３】
また、フレーム部３１には、スイッチ３４が設けられ（図５、図６参照）、スイッチ３４が押下されたときに光源部３２ａ、３２ｂ、３２ｃを一定時間点灯させる電源・制御回路（図示省略）が内蔵されている。この電源・制御回路は、例えば、スイッチ３４の操作によって小型電池から発光素子に１０〜２０秒程度の間電力を供給する制御回路を採用することができる。
【００３４】
図５は上記リモコン用照明装置をビデオレコーダー用リモコンに装着した状態を示す平面図、図６は上記リモコン用照明装置をビデオレコーダー用リモコンに装着した状態を示す側面図である。
【００３５】
本考案に係る上記リモコン用照明装置３０を使用する際、ビデオレコーダー用リモコン２００（基台２０１に対して開閉扉２０２が開閉自在に設けられているタイプのリモコン）の開閉扉２０２の外側面に両面テープ３３により接着させて固定する。このように、既存のリモコンに簡単に装着することができ、常時装着しておいても開閉扉２０２の開閉に支障がない。
【００３６】
暗闇においてビデオレコーダー用リモコン２００の操作を行う場合、フレーム部３１のスイッチ３４を押下することにより、光源部３２ａ、３２ｂ、３２ｃが一定時間点灯して液晶表示部２１０と操作ボタン２２０を照らすため、使用者は部屋の照明をつけることなくリモコン操作を確実に行うことができるため、暗闇におけるリモコン操作について従来の不便さを解消することができる。
【図面の簡単な説明】
【００３７】
【図１】本考案にかかるリモコン用照明装置の一例（第１実施例）を示す斜視図である。
【図２】上記リモコン用照明装置の正面図である。
【図３】上記リモコン用照明装置をルームエアコン用リモコンに装着した状態を示す斜視図である。
【図４】本考案にかかるリモコン用照明装置の他例（第２実施例）を示す斜視図である。
【図５】上記リモコン用照明装置をビデオレコーダー用リモコンに装着した状態を示す平面図である。
【図６】上記リモコン用照明装置をビデオレコーダー用リモコンに装着した状態を示す側面図である。
【符号の説明】
【００３８】
１０  リモコン用照明装置
１１  フレーム部
１２  光源部
１３、１５  係止部材
１４  面ファスナー（フック部）
１６  面ファスナー（ループ部）
１７、１９  係止部材
１８  面ファスナー（フック部）
２０  面ファスナー（ループ部）
２１  スイッチ
２２  電源・制御回路
３０  リモコン用照明装置
３１  フレーム部
３２  光源部
３３  両面テープ
３４  スイッチ
１００  ルームエアコン用リモコン
１１０  液晶表示部
１２０  操作ボタン
１３０  送信部
２００  ビデオレコーダー用リモコン
２０１  基台
２０２  開閉扉
２１０  液晶表示部
２２０  操作ボタン
２３０  送信部
【図１】
0003116204.tif 000003
【図２】
0003116204.tif 000004
【図３】
0003116204.tif 000005
【図４】
0003116204.tif 000006
【図５】
0003116204.tif 000007
【図６】
0003116204.tif 000008